(57)【特許請求の範囲】
【請求項１】
貨幣処理を実行して該貨幣処理に関する情報を情報記録媒体に記録する貨幣処理装置であって、
情報記録媒体に書き込まれているデータの読み取り及び前記情報記録媒体へのデータの書き込みを行うリーダライタと、
予め登録されているデータ長が異なる複数のフォーマットの中から、前記リーダライタが情報記録媒体から読み取った所定データのデータ長に基づいて該データのフォーマットを特定して、前記データに含まれる、前記情報記録媒体への情報の記録位置を示す媒体情報を前記フォーマットに基づいて認識すると共に、前記情報記録媒体への情報の記録位置を前記媒体情報に基づいて特定する制御部と、
前記制御部が特定した記録位置に、貨幣処理に関する情報を記録する記録部と
を備えることを特徴とする貨幣処理装置。
【請求項２】
前記制御部は、情報記録媒体から読み取ったデータのフォーマットで、前記記録部による次回の情報の記録位置を示す媒体情報を含むデータを生成して、
前記リーダライタは、前記制御部が生成したデータを前記情報記録媒体に書き込む
ことを特徴とする請求項１に記載の貨幣処理装置。
【請求項３】
前記制御部は、予め登録されている複数のフォーマットの中からフォーマットの指定を受け付けて、前記媒体情報を含むデータを、指定されたフォーマットで生成して、
前記リーダライタが前記制御部が生成したデータを情報記録媒体に書き込むことにより前記情報記録媒体を初期化する
ことを特徴とする請求項１又は２に記載の貨幣処理装置。
【請求項４】
前記制御部は、前記リーダライタが情報記録媒体から読み取ったデータに含まれる文字の桁数に基づいて、前記データのフォーマットを特定することを特徴とする請求項１〜３のいずれか１項に記載の貨幣処理装置。
【請求項５】
前記媒体情報は、前記記録部が情報記録媒体に最後に記録した情報の記録位置を示す情報であることを特徴とする請求項１〜４のいずれか１項に記載の貨幣処理装置。
【請求項６】
前記リーダライタが書き込むデータには、前記媒体情報と、前記貨幣処理装置が設置されている店舗を示す店舗情報と、前記貨幣処理装置が設置されているレジを示すレジ情報とが含まれることを特徴とする請求項１〜５のいずれか１項に記載の貨幣処理装置。
【請求項７】
前記記録部は、前記媒体情報に基づいて特定された記録位置に、貨幣処理日時及び貨幣処理結果を記録することを特徴とする請求項１〜６のいずれか１項に記載の貨幣処理装置。
【請求項８】
前記情報記録媒体は通帳であり、
前記リーダライタは、前記媒体情報を含むデータを磁気データとして前記通帳へ書き込むと共に、前記通帳からの磁気データの読み込みを行い、
前記記録部は、前記媒体情報によって特定された前記通帳の印字位置に情報を印字する
ことを特徴とする請求項１〜７のいずれか１項に記載の貨幣処理装置。
【請求項９】
前記制御部は、前記リーダライタが情報記録媒体から読み取った所定データのフォーマットが、予め登録されている複数のデータフォーマットのいずれかと一致する場合に貨幣処理を実行することを特徴とする請求項１〜８のいずれか１項に記載の貨幣処理装置。
【請求項１０】
貨幣処理を実行して該貨幣処理に関する情報を情報記録媒体に記録する貨幣処理システムであって、
情報記録媒体に書き込まれているデータの読み取り及び前記情報記録媒体へのデータの書き込みを行うリーダライタと、
予め登録されているデータ長が異なる複数のフォーマットの中から、前記リーダライタが情報記録媒体から読み取った所定データのデータ長に基づいて該データのフォーマットを特定して、前記データに含まれる、前記情報記録媒体への情報の記録位置を示す媒体情報を前記フォーマットに基づいて認識すると共に、前記情報記録媒体への情報の記録位置を前記媒体情報に基づいて特定する制御部と、
前記制御部が特定した記録位置に、貨幣処理に関する情報を記録する記録部と
を備えることを特徴とする貨幣処理システム。
【請求項１１】
前記制御部は、前記リーダライタが情報記録媒体から読み取った所定データのフォーマットが、予め登録されている複数のデータフォーマットのいずれかと一致する場合に貨幣処理を実行することを特徴とする請求項１０に記載の貨幣処理システム。
【発明の詳細な説明】
【技術分野】
【０００１】
この発明は、店舗内でレジから回収した貨幣を入金して該入金に関する情報を通帳に記録することができる貨幣処理装置及び貨幣処理システムに関する。
【背景技術】
【０００２】
従来、店舗のバックオフィス等に設置され、店舗のレジから回収した紙幣や硬貨を入金する貨幣処理装置が利用されている。例えば、特許文献１には、テナント店等のレジから回収した貨幣を入金して、入金金額や入金日時を通帳に印字する装置が開示されている。貨幣処理装置を利用すれば、大量の紙幣及び硬貨を短時間で正確に識別計数して、入金された貨幣に関する情報を通帳に記録することができる。レジ毎に通帳を準備すれば、各レジから回収された貨幣に関する情報を通帳に記録して管理することができる。
【先行技術文献】
【特許文献】
【０００３】
【特許文献１】特開平１０−１１６６５号公報
【発明の概要】
【発明が解決しようとする課題】
【０００４】
しかしながら、上記従来技術では、通帳を変更したり新たな装置を導入したりする際に問題が生ずる場合があった。例えば、店舗やレジを特定可能な情報を所定桁数の文字で表すようにして、この情報を通帳の所定位置に記録しておけば、貨幣処理装置は、この情報を通帳から読み取って貨幣処理に利用することができる。ところが、店舗やレジの増加に伴って、通帳に記録する情報の桁数を増やすなどして情報のフォーマットを変更すると、貨幣処理装置は、新フォーマットで記録された情報を正しく認識できなくなる。これに対応するため新フォーマットで記録された情報に対応する新たな貨幣処理装置を導入しても、この新装置では新フォーマットの通帳しか扱えず、１つの店舗内に旧装置と新装置、旧通帳と新通帳が混在して混乱が生ずる場合があった。
【０００５】
本発明は、従来技術による問題点を解消するためになされたもので、通帳に記録する情報のフォーマット変更に対応可能な貨幣処理装置及び貨幣処理システムを提供することを目的とする。
【課題を解決するための手段】
【０００６】
上述した課題を解決し、目的を達成するため、本発明は、貨幣処理を実行して該貨幣処理に関する情報を情報記録媒体に記録する貨幣処理装置であって、情報記録媒体に書き込まれているデータの読み取り及び前記情報記録媒体へのデータの書き込みを行うリーダライタと、  予め登録されているデータ長が異なる複数のフォーマットの中から、前記リーダライタが情報記録媒体から読み取った所定データのデータ長に基づいて該データのフォーマットを特定して、前記データに含まれる、前記情報記録媒体への情報の記録位置を示す媒体情報を前記フォーマットに基づいて認識すると共に、前記情報記録媒体への情報の記録位置を前記媒体情報に基づいて特定する制御部と、前記制御部が特定した記録位置に、貨幣処理に関する情報を記録する記録部とを備えることを特徴とする。
【０００７】
また、本発明は、上記発明において、前記制御部は、情報記録媒体から読み取ったデータのフォーマットで、前記記録部による次回の情報の記録位置を示す媒体情報を含むデータを生成して、前記リーダライタは、前記制御部が生成したデータを前記情報記録媒体に書き込むことを特徴とする。
【０００８】
また、本発明は、上記発明において、前記制御部は、予め登録されている複数のフォーマットの中からフォーマットの指定を受け付けて、前記媒体情報を含むデータを、指定されたフォーマットで生成して、前記リーダライタが前記制御部が生成したデータを情報記録媒体に書き込むことにより前記情報記録媒体を初期化することを特徴とする。
【０００９】
また、本発明は、上記発明において、前記制御部は、前記リーダライタが情報記録媒体から読み取ったデータに含まれる文字の桁数に基づいて、前記データのフォーマットを特定することを特徴とする。
【００１０】
また、本発明は、上記発明において、前記媒体情報は、前記記録部が情報記録媒体に最後に記録した情報の記録位置を示す情報であることを特徴とする。
【００１１】
また、本発明は、上記発明において、前記リーダライタが書き込むデータには、前記媒体情報と、前記貨幣処理装置が設置されている店舗を示す店舗情報と、前記貨幣処理装置が設置されているレジを示すレジ情報とが含まれることを特徴とする。
【００１２】
また、本発明は、上記発明において、前記記録部は、前記媒体情報に基づいて特定された記録位置に、貨幣処理日時及び貨幣処理結果を記録することを特徴とする。
【００１３】
また、本発明は、上記発明において、前記情報記録媒体は通帳であり、前記リーダライタは、前記媒体情報を含むデータを磁気データとして前記通帳へ書き込むと共に、前記通帳からの磁気データの読み込みを行い、前記記録部は、前記媒体情報によって特定された前記通帳の印字位置に情報を印字することを特徴とする。
【００１４】
また、本発明は、上記発明において、前記制御部は、前記リーダライタが情報記録媒体から読み取った所定データのフォーマットが、予め登録されている複数のデータフォーマットのいずれかと一致する場合に貨幣処理を実行することを特徴とする。
【００１５】
また、本発明は、貨幣処理を実行して該貨幣処理に関する情報を情報記録媒体に記録する貨幣処理システムであって、情報記録媒体に書き込まれているデータの読み取り及び前記情報記録媒体へのデータの書き込みを行うリーダライタと、予め登録されているデータ長が異なる複数のフォーマットの中から、前記リーダライタが情報記録媒体から読み取った所定データのデータ長に基づいて該データのフォーマットを特定して、前記データに含まれる、前記情報記録媒体への情報の記録位置を示す媒体情報を前記フォーマットに基づいて認識すると共に、前記情報記録媒体への情報の記録位置を前記媒体情報に基づいて特定する制御部と、前記制御部が特定した記録位置に、貨幣処理に関する情報を記録する記録部とを備えることを特徴とする。
【００１６】
また、本発明は、上記発明において、前記制御部は、前記リーダライタが情報記録媒体から読み取った所定データのフォーマットが、予め登録されている複数のデータフォーマットのいずれかと一致する場合に貨幣処理を実行することを特徴とする。
【発明の効果】
【００１７】
本発明によれば、例えば、貨幣処理に関する情報を記録する情報記録媒体として通帳を利用して、通帳の磁気ストライプに記録されている磁気データのフォーマットが複数種類ある場合でも、通帳に記録されている磁気データのフォーマットを認識して、磁気データに含まれる情報の内容を認識することができる。通帳への印字位置を特定可能な通帳情報（媒体情報）を、磁気データに含めて通帳に記録しておけば、通帳で利用されている磁気データのフォーマットによらず、磁気データに含まれる通帳情報を認識して、通帳への情報印字を行うことができる。これにより、１つの貨幣処理装置で、旧フォーマットの磁気データが記録されている通帳と、新フォーマットの磁気データが記録されている通帳との両方に対応することができる。
【図面の簡単な説明】
【００１８】
【図１】図１は、貨幣処理装置及び管理装置を含む貨幣処理システムを示すブロック図である。
【図２】図２は、貨幣処理装置の機能構成概略を示すブロック図である。
【図３】図３は、各貨幣処理装置で行われる処理内容を示す模式図である。
【図４】図４は、通帳に記録されている磁気データのフォーマットの種類を示す模式図である。
【図５】図５は、貨幣処理装置で行う初期化処理の流れを示すフローチャートである。
【図６】図６は、貨幣処理装置で行う入金処理の流れを示すフローチャートである。
【発明を実施するための形態】
【００１９】
以下に、添付図面を参照して、本発明に係る貨幣処理装置及び貨幣処理システムについて詳細に説明する。貨幣処理装置は、店舗のバックオフィス等に設置され、店舗のレジから回収した貨幣（紙幣及び硬貨）を入金するために利用される。
【００２０】
図１は、貨幣処理装置１〜３及び管理装置４を含む貨幣処理システムを示すブロック図である。貨幣処理装置１〜３はＬＡＮ等のネットワーク５を介して管理装置４と接続されており、貨幣処理装置１〜３と管理装置４との間でデータを送受信できるようになっている。なお、ネットワーク５には、これらの装置の他に、店舗のレジで利用するＰＯＳレジスタやＰＯＳサーバ等も接続されている。
【００２１】
管理装置４は、例えばコンピュータ装置から成り、貨幣処理装置１〜３に収納されている貨幣の金種及び数量を示す在高を管理する機能を有する。また、管理装置４は、各貨幣処理装置１〜３で貨幣処理を行うために必要なデータを管理する機能を有する。ＰＯＳレジスタから貨幣を回収して貨幣処理装置１〜３へ入金する際には、管理装置４が、ＰＯＳレジスタ又はＰＯＳサーバから、回収する貨幣の金額等の情報を取得する。そして、管理装置４又は回収貨幣が入金された貨幣処理装置１〜３で、管理装置４が取得した回収貨幣に関する情報を利用して、ＰＯＳレジスタから回収した貨幣金額と、貨幣処理装置１〜３に入金された金額とが一致することを確認できるようになっている。
【００２２】
店舗では、レジの増設や店舗の拡大等に伴って新たな貨幣処理装置が導入される。図１では、第１貨幣処理装置１が、店舗で最も古くから利用されている装置を示し、第２貨幣処理装置２が、第１貨幣処理装置１の後に、店舗に追加導入された装置を示している。そして、第３貨幣処理装置３が、本実施形態に係る貨幣処理装置を示している。すなわち、第３貨幣処理装置３に対して、第２貨幣処理装置２は旧型機で、第１貨幣処理装置１は旧旧型機となっている。
【００２３】
図２は、貨幣処理装置１〜３の機能構成概略を示すブロック図である。貨幣処理装置１〜３は、通帳への情報印字等を行う通帳処理部２０、紙幣を入出金する紙幣処理部３０、硬貨を入出金する硬貨処理部４０、入出金処理に係る操作を行うための操作表示部５０、各種プログラム及びデータを保存するための記憶部６０、及びネットワーク５を介してデータを送受信するための通信部７０と、これら各部を制御して本実施形態に記載する各機能及び動作を実現する制御部１０とを有している。
【００２４】
貨幣処理装置１〜３では、貨幣処理に関する情報を記録するための情報記録媒体として、通帳を利用する。そして、情報を記録するための記録部として通帳プリンタ２４を利用して、通帳を利用した貨幣処理が行われる度に、貨幣処理に関する情報を、既に通帳に印字されている情報に続けて追加する形で印字する。一方、通帳へ印字する情報とは別に、通帳プリンタ２４が情報を追加する形で通帳への印字を行えるように、通帳への印字位置を特定可能な通帳情報（媒体情報）を含むデータが生成される。そして、このデータを読み書きするリーダライタとして磁気リーダライタ２３を利用して、通帳情報を含むデータを、磁気データとして通帳に記録するようになっている。
【００２５】
紙幣処理部３０は、入金口に受け付けた紙幣を識別部で識別計数して金種別に収納部に収納する入金処理や、操作表示部５０で出金するよう指定された金種及び金額の紙幣を収納部から繰り出して出金口に排出する出金処理を行う機能を有する。同様に、硬貨処理部４０は、入金口に受け付けた硬貨を識別部で識別計数して金種別に収納部に収納する入金処理や、操作表示部５０で出金するよう指定された金種及び金額の硬貨を、収納部から繰り出して出金口に排出する出金処理を行う機能を有する。バラ紙幣及びバラ硬貨の他、所定枚数の紙幣を結束した結束紙幣や、所定枚数の硬貨を包装した包装硬貨を入出金することもできる。これら貨幣の入出金処理は従来技術を利用して行うことができる。
【００２６】
操作表示部５０は、例えばタッチパネル式の液晶装置から成り、貨幣の入出金処理に関する情報の出力表示や、入出金処理に関する指示や設定等の情報入力を行うために利用される。記憶部６０は、例えば半導体メモリやハードディスク等の不揮発性の記憶装置から成り、入出金処理を行うために必要な各種情報の保存に利用される。通信部７０は、入出金処理に関する情報を、管理装置４等の外部装置との間で送受信する機能を有する。
【００２７】
通帳処理部２０は、通帳挿入口２１、通帳搬送部２２、磁気リーダライタ２３及び通帳プリンタ２４を有している。通帳処理部２０は、貨幣処理装置１〜３で行われた貨幣の入出金処理に関する情報を通帳に印字する機能を有する。
【００２８】
通帳挿入口２１は通帳の挿入を受け付ける。例えば、貨幣処理時には、今回の貨幣処理に関する情報を印字するページを開いた状態で通帳の挿入を受け付ける。通帳搬送部２２は、通帳挿入口２１に挿入された通帳を磁気リーダライタ２３及び通帳プリンタ２４へ搬送する機能を有する。貨幣処理に関する情報が通帳に印字された後、通帳搬送部２２は、再び通帳を搬送して通帳挿入口２１から返却する。
【００２９】
磁気リーダライタ２３は、通帳に設けられている磁気ストライプからの磁気データの読み取り、及び磁気ストライプへの磁気データの書き込みを行う機能を有する。貨幣処理に利用する通帳には磁気ストライプが付されている。この磁気ストライプには、店舗、レジ、通帳への印字位置等を特定可能な磁気データが記録されている。貨幣処理時には、磁気リーダライタ２３が、この磁気データを読み取って、貨幣処理に利用する。また、通帳を利用した貨幣処理が行われて通帳に情報が印字されると、通帳に記録されている磁気データを更新するため、磁気リーダライタ２３が、磁気データの書き込みを行う。
【００３０】
また、磁気リーダライタ２３は、通帳を初期化するために利用される。初期化とは、店舗に新しい通帳を導入する場合や、従来使用している通帳の磁気データが磁気異常等によって読み取れなくなった場合に、通帳の磁気ストライプに所定フォーマットで磁気データを書き込む処理である。
【００３１】
通帳プリンタ２４は、貨幣処理が行われた日時、貨幣処理内容、貨幣処理結果等、貨幣処理に関する情報を通帳に印字して記録する記録装置として機能する。貨幣処理を実行する度に通帳への印字が行われるが、既に印字されている情報に続けて新たな情報が印字されるようになっている。具体的には、例えば、貨幣処理時に、通帳の１ページの１０行目まで情報が印字された場合は、次回の貨幣処理では１ページの１１行目から情報印字が開始される。
【００３２】
店舗のレジでＰＯＳレジスタを担当するレジ係は、店舗の営業時間終了後等の所定タイミングで、自身の担当するレジから貨幣を回収し、回収した貨幣と、レジ毎に準備されている通帳とを持ってバックオフィスへ移動する。そして、貨幣処理装置１〜３のいずれかを利用して、レジから回収した貨幣を入金する入金処理を実行する。回収貨幣の入金処理時には、装置に通帳を挿入して、入金処理に関する情報を通帳に記録する。これにより、通帳に印字された情報を確認すれば、各レジについて行われた入金処理の処理日時や入金金額等、入金処理の履歴を確認することができる。
【００３３】
第１貨幣処理装置１、第２貨幣処理装置２及び第３貨幣処理装置３の全ての装置で貨幣処理を行うことができるが、各装置で通帳に関する処理内容が異なっている。以下では、入金処理を例に、従来使用されている第１貨幣処理装置１及び第２貨幣処理装置２と比較しながら、本実施形態に係る第３貨幣処理装置３で行われる処理内容について説明する。
【００３４】
図３は、各貨幣処理装置１〜３で行われる処理内容を示す模式図である。図４は、通帳に記録されている磁気データのフォーマットの種類を示す模式図である。図３に示すように、第１貨幣処理装置１は、フォーマットＡの磁気データが記録されている通帳１０１に対応している。第１貨幣処理装置１で通帳の初期化を行うと、フォーマットＡの磁気データによって初期化される。また、フォーマットＡの磁気データが記録された通帳１０１を利用すれば第１貨幣処理で貨幣処理を行うことができる。
【００３５】
フォーマットＡは、図４（ａ）に示すように、店情報を示す５桁の文字、レジ情報を示す４桁の文字及び通帳情報を示す４桁の文字の合計１３桁の文字から成るデータフォーマットである。なお、図４では、各桁を１桁の数字で示しているが、各桁が１桁の文字であれば文字の種類は特に限定されず、例えば、ひらがな、カタカナ、アルファベット等を利用する態様であってもよい。
【００３６】
ここで、店情報とは、第１貨幣処理装置１が設置されている店舗を、他の店舗と区別するための店番号等の識別情報である。また、レジ情報とは、第１貨幣処理装置１が設置されている店舗内の各レジを区別するためのレジ番号等の識別情報である。通帳に記録されている店情報から、この通帳を利用する店舗を特定して、レジ情報から、この通帳を利用するレジを特定することができる。また、通帳情報とは、貨幣処理に関する情報を印字する印字位置として、通帳のページ番号及び行番号を特定するための情報である。４桁の通帳情報のうち、上２桁（図面左側）がページ番号を示し、下２桁（図面右側）が行番号を示している。図４（ａ）のデータは、店番号が「００００１」の店舗内に設置されている、レジ番号が「０００１」のレジで利用する通帳には、現在、ページ番号が「０１」のページで、行番号が「００」の行まで情報が印字されていることを示している。すなわち、店番号、レジ番号及びページ番号が「１」で、行番号が「０」であることを示している。
【００３７】
第１貨幣処理装置１で通帳１０１を初期化すると、１３桁のフォーマットＡで初期化される。そして、初期化を終えた通帳１０１を利用すれば、第１貨幣処理装置１で入金処理を行うことができる。具体的には、第１貨幣処理装置１に挿入された通帳１０１から読み取った磁気データがフォーマットＡのデータである場合には、第１貨幣処理装置１は、この通帳１０１による入金処理を受け付ける。一方、挿入された通帳から読み取った磁気データがフォーマットＡとは異なるフォーマットである場合には、第１貨幣処理装置１は、操作表示部５０にエラー発生を示す情報を表示して、入金処理を受け付けない。なお、入金処理を受け付ける場合は、入金された貨幣を識別計数して収納する処理と、入金日時や入金金額を通帳１０１に印字する処理とが行われるが詳細は後述する。また、通帳初期化についても詳細は後述する。
【００３８】
例えば、店舗でレジを増設した際にレジ情報を変更したい場合がある。また、例えば、レジ番号と、レジが設置されている売り場を区別するための売り場識別情報とを組み合わせてレジ情報とするために、レジ情報を変更したい場合がある。このような場合に、図４（ａ）に示すフォーマットＡのレジ情報の桁数を、例えば４桁から８桁に増やして、これを図４（ｂ）に示すようにフォーマットＢとする。フォーマットＢは、店情報を示す５桁の文字、レジ情報を示す８桁の文字及び通帳情報を示す４桁の文字の合計１７桁の文字から成るデータフォーマットである。
【００３９】
図３に示すように、第２貨幣処理装置２はフォーマットＢの磁気データが記録されている通帳１０２に対応している。第２貨幣処理装置２で通帳１０２の初期化を行うと合計１７桁のフォーマットＢで初期化される。また、フォーマットＢの磁気データが記録された通帳１０２を利用すれば第２貨幣処理装置２で貨幣処理を行うことができる。
【００４０】
第２貨幣処理装置２で入金処理を行う際には、合計１７桁のフォーマットＢで磁気データが記録されている通帳１０２が必要となる。このため、第２貨幣処理装置２で、１３桁のフォーマットＡで磁気データが記録されている通帳１０１等、他のフォーマットで磁気データが記録されている通帳を利用しようとすると、エラーとなって処理が中断し、入金処理を行うことはできない。
【００４１】
例えば、第１貨幣処理装置１及び第２貨幣処理装置２を利用していた店舗の支店数が増えた際に店情報を変更したい場合がある。また、例えば、店舗番号と、店舗の所在エリアを区別するためのエリア識別情報とを組み合わせて店情報とするために、店情報を変更したい場合がある。このような場合に、図４（ｂ）に示すフォーマットＢの店情報の桁数を、例えば５桁から６桁に増やして、これを図４（ｃ）に示すようにフォーマットＣとする。フォーマットＣは、店情報を示す６桁の文字、レジ情報を示す８桁の文字及び通帳情報を示す４桁の文字の合計１８桁の文字から成るデータフォーマットである。
【００４２】
従来使用されている第１貨幣処理装置１では、フォーマットＡでしか通帳を初期化できず、フォーマットＡの通帳１０１でなければ入金処理を行うことができない。同様に、従来使用されている第２貨幣処理装置２では、フォーマットＢでしか通帳を初期化できず、フォーマットＢの通帳１０２でなければ入金処理を行うことができない。これに対して、本実施形態に係る第３貨幣処理装置３を店舗に導入すれば、従来利用されているフォーマットＡ及びフォーマットＢと、新たなフォーマットＣとの全てのデータフォーマットに対応することができる。以下では、第３貨幣処理装置３で行う通帳の初期化及び通帳を利用して行う貨幣処理について説明する。
【００４３】
まず、通帳の初期化処理について説明する。第１貨幣処理装置１ではフォーマットＡでしか初期化できず、第２貨幣処理装置２ではフォーマットＢでしか初期化できないが、第３貨幣処理装置３では、初期化する際に、フォーマットＡ、フォーマットＢ及びフォーマットＣの３つのフォーマットの中から、初期化用のフォーマットを選択できるようになっている。このとき、予め複数フォーマットが登録されているフォーマット情報を利用して、登録済みフォーマットの中から初期化用フォーマットを選択するが、フォーマット情報の詳細は後述する。
【００４４】
図５は、第３貨幣処理装置３で行う初期化処理の流れを示すフローチャートである。店番号が「１」の店舗で、レジ番号が「１」のレジ用に、フォーマットＡで通帳を初期化する場合を例に初期化処理について説明する。まず、操作表示部５０で初期化処理の開始を指示する所定操作を行って、第３貨幣処理装置３の通帳挿入口２１に通帳を挿入すると、この通帳が装置内に取り込まれる（ステップＳ１）。通帳は、通帳搬送部２２によって磁気リーダライタ２３へ搬送される。続いて、制御部１０が、初期化する通帳を利用する店番号及びレジ番号を特定する（ステップＳ２）。
【００４５】
店番号については、初期化処理に係る設定情報として、第３貨幣処理装置３が設置されている店舗の店番号「１」が予め記憶部６０に保存されている。一方、レジ番号については、初期化処理時にレジ番号の入力を要求する。例えば初期化処理を実行する店舗の管理者が、操作表示部５０でレジ番号「１」を指定する。制御部１０は、記憶部６０の設定情報から店番号「１」を特定し、操作表示部５０による入力情報からレジ番号「１」を特定する。
【００４６】
ただし、店番号及びレジ番号の特定方法については、店番号及びレジ番号を記録したＩＣカードや磁気カード等のカードを利用して特定する態様であってもよい。具体的には、店番号及びレジ番号を記録したカードを予めレジ毎に準備しておいて、ＩＣカードリーダや磁気カードリーダ等、カードの種類に応じたカードリーダで、店番号及びレジ番号を読み取って制御部１０に入力する態様であってもよい。
【００４７】
次に、操作表示部５０で、初期化する通帳のフォーマットを指定する（ステップＳ３）。操作表示部５０の画面上には、選択可能なフォーマットの種類として予め登録されている、フォーマットＡ、フォーマットＢ及びフォーマットＣが表示されるので、フォーマットＡで通帳を初期化したい場合には、操作表示部５０を操作してフォーマットＡを選択する。
【００４８】
続いて、操作表示部５０で、新しい通帳の初期化を行うか、磁気異常等で磁気データを読み取れなくなった通帳を再初期化するかを指定する（ステップＳ４）。新しい通帳の初期化が指定された場合（ステップＳ５；Ｙｅｓ）、制御部１０は、店番号「１」、レジ番号「１」、ページ番号「１」、行番号「０」として、フォーマットＡの１３桁のデータを生成する。そして、磁気リーダライタ２３が、制御部１０が生成したデータを通帳の磁気ストライプに書き込む（ステップＳ６）。これにより、この通帳を利用して貨幣処理を行う際には、通帳の１ページ目の１行目から情報印字が行われることになる。
【００４９】
一方、店舗で使用中の通帳を初期化する再初期化が指定された場合は（ステップＳ５；Ｎｏ）、操作表示部５０の画面上に、通帳に最後に印字された情報のページ番号及び行番号の指定を求める情報が表示されるので、操作表示部５０を操作してページ番号及び行番号を指定する（ステップＳ７）。具体的には、例えば、初期化対象の通帳に、２ページの４行目まで情報が印字されている場合には、ページ番号「２」、行番号「４」を指定する。この結果、初期化処理を終えて、この通帳を利用して貨幣処理を行うと、通帳の２ページ目の５行目から情報印字が行われることになる。
【００５０】
ページ番号及び行番号が指定されると、制御部１０は、店番号「１」、レジ番号「１」として、指定されたページ番号及び行番号でフォーマットＡの１３桁のデータを生成する。そして、磁気リーダライタ２３が、制御部１０が生成したデータを通帳の磁気ストライプに書き込む（ステップＳ８）。
【００５１】
磁気データの書き込みを終えると、通帳搬送部２２が通帳を搬送して、通帳挿入口２１から排出し（ステップＳ９）、初期化の処理を終了する。このように、第３貨幣処理装置３では、初期化処理として通帳の磁気ストライプに書き込む磁気データのフォーマットを指定することができる。例えば、フォーマットＡに対応する第１貨幣処理装置１のみを利用している店舗に、新たに第３貨幣処理装置３を導入した場合には、フォーマットＡで通帳を初期化すれば、この通帳を利用して、従来使用している第１貨幣処理装置１又は新たに導入した第３貨幣処理装置３で入金処理を行うことができる。また、第１貨幣処理装置１及び第２貨幣処理装置２を利用している店舗に、新たに第３貨幣処理装置３を導入した場合には、フォーマットＡで通帳を初期化すれば第１貨幣処理装置１及び第３貨幣処理装置３で入金処理を行うことが可能となり、フォーマットＢで通帳を初期化すれば第２貨幣処理装置２及び第３貨幣処理装置３で入金処理を行うことが可能となり、フォーマットＣで通帳を初期化すれば第３貨幣処理装置３のみで入金処理を行うことになる。
【００５２】
次に、通帳を利用して行う入金処理について説明する。第１貨幣処理装置１ではフォーマットＡの通帳１０１でしか入金処理を行うことができず、第２貨幣処理装置２ではフォーマットＢの通帳でしか入金処理を行うことができないが、第３貨幣処理装置３では、フォーマットＡ、フォーマットＢ及びフォーマットＣのいずれの通帳であるかによらず入金処理を行うことができる。
【００５３】
図６は、第３貨幣処理装置３で行う入金処理の流れを示すフローチャートである。まず、操作表示部５０で入金処理の開始を指示する所定操作を行って、通帳挿入口２１に、入金情報を印字するページを開いた状態で通帳を挿入すると、この通帳が装置内に取り込まれる（ステップＳ１１）。装置内に取り込まれた通帳は、通帳搬送部２２によって磁気リーダライタ２３へ搬送される。そして、磁気リーダライタ２３によって、通帳の磁気ストライプに記録されている磁気データの読み取りが行われる（ステップＳ１２）。
【００５４】
制御部１０は、磁気リーダライタ２３が読み取った磁気データの桁数に基づいてフォーマットを認識する（ステップＳ１３）。具体的には、磁気データの桁数が１３桁であればフォーマットＡ、１７桁であればフォーマットＢ、１８桁であればフォーマットＣであると認識する。
【００５５】
制御部１０の記憶部６０には、予め、第３貨幣処理装置３が設置されている店舗で利用されている全てのフォーマットに関する情報が、フォーマット情報として保存されている。具体的には、図４に示すフォーマットＡ、フォーマットＢ及びフォーマットＣの各フォーマットのデータ構成を示す情報を登録したフォーマット情報が、予め記憶部６０に保存されている。このフォーマット情報を参照して、通帳から読み取った磁気データのフォーマットを特定すれば、磁気データに含まれる店情報、レジ情報及び通帳情報の内容を認識することができる。
【００５６】
制御部１０は、記憶部６０のフォーマット情報を参照して、磁気リーダライタ２３が通帳から読み取った磁気データのフォーマットを認識するが、フォーマット情報の中に、通帳の磁気データの桁数に一致するフォーマットが存在しない場合には、制御部１０は、磁気データのフォーマットに問題があると判定する（ステップＳ１４；Ｎｏ）。そして、制御部１０は、異常と判定した理由を示す情報を操作表示部５０の画面上に表示してエラーを報知し（ステップＳ１５）、処理を終了する。
【００５７】
通帳の磁気データのフォーマットが、図４に示すフォーマットＡ、フォーマットＢ及びフォーマットＣのいずれかと一致することを制御部１０が正常に認識できた場合（ステップＳ１４；Ｙｅｓ）、制御部１０は、認識した磁気データのフォーマットに基づいて磁気データに含まれる店情報、レジ情報及び通帳情報を認識する（ステップＳ１６）。
【００５８】
続いて、制御部１０は、通帳の磁気データから認識した情報に問題がないことを確認する（ステップＳ１７）。具体的には、制御部１０は、通帳から認識した店情報が、第３貨幣処理装置３が設置されている店舗を示す店番号と一致することを確認する。通帳の店情報が、第３貨幣処理装置３が設置されている店舗の店番号と一致しない場合は、制御部１０は、認識情報に異常があると判定する（ステップＳ１７；Ｎｏ）。また、制御部１０は、通帳から認識したレジ情報が、店舗に設置されているレジを示すレジ番号と矛盾しないことを確認する。通帳から認識したレジ情報が、レジ情報に含まれるはずのない文字を含んでいる場合や、店舗に存在しないレジ番号を示す場合に、制御部１０は、認識情報に異常があると判定する（ステップＳ１７；Ｎｏ）。同様に、制御部１０は、通帳情報に含まれるページ番号及び行番号が、店舗で利用する通帳のページ番号や行番号と矛盾しないことを確認する。通帳から認識したページ番号及び行番号が、あり得ないページ番号や行番号を示している場合等に、制御部１０は、認識情報に異常があると判定する（ステップＳ１７；Ｎｏ）。
【００５９】
認識情報に異常があると判定した場合は（ステップＳ１７；Ｎｏ）、制御部１０は、異常と判定した理由を示す情報を操作表示部５０の画面上に表示してエラーを報知し（ステップＳ１５）、処理を終了する。
【００６０】
一方、認識情報に異常がないと判定した場合は（ステップＳ１７；Ｙｅｓ）、制御部１０は、紙幣処理部３０及び硬貨処理部４０で入金処理を開始する（ステップＳ１８）。レジから回収した貨幣を紙幣処理部３０及び硬貨処理部４０で識別計数して収納部に収納する入金処理を行って（ステップＳ１９；Ｎｏ）、入金された回収貨幣の合計金額が得られると（ステップＳ１９；Ｙｅｓ）、制御部１０は、通帳搬送部２２によって通帳プリンタ２４へ搬送した通帳に入金情報を印字する（ステップＳ２０）。具体的には、通帳プリンタ２４は、通帳の磁気データから特定したページ番号及び行番号に基づいて、現在通帳に印字されている最終行に続けて、入金日時や入金金額等、入金処理に関する情報を印字する。磁気データから認識した通帳情報には、前回の入金処理時に通帳に最後に印字された情報のページ番号及び行番号が記録されているので、このページ番号及び行番号の次の行から、入金情報の印字を開始することができる。
【００６１】
入金情報の印字を終えると、通帳搬送部２２によって、通帳が磁気リーダライタ２３へ搬送される。制御部１０は、通帳プリンタ２４で印字した入金情報の最終行を示すページ番号及び行番号を通帳情報とする磁気データを生成する。具体的には、先に磁気リーダライタ２３を利用して入金処理開始前に通帳から認識した磁気データのページ番号及び行番号を、今回の入金処理で印字した入金情報の最終行を示すページ番号及び行番号に変更した磁気データを生成する。すなわち、制御部１０は、通帳から読み取った磁気データと同一フォーマットで更新用のデータを生成する。フォーマットＡの通帳１０１であればフォーマットＡで更新データが生成され、フォーマットＢの通帳１０２であればフォーマットＢで更新データが生成され、フォーマットＣの通帳１０３であればフォーマットＣで更新用データが生成されることになる。
【００６２】
そして、磁気リーダライタ２３が、制御部１０が生成した磁気データを、通帳の磁気ストライプに書き込む（ステップＳ２１）。この結果、通帳の磁気ストライプでは、入金処理開始前に記録されていた磁気データが、同一フォーマットのまま、入金処理後の情報に更新される。磁気データの更新を終えた通帳は、通帳搬送部２２によって搬送されて通帳挿入口２１から排出され（ステップＳ２２）、入金処理が終了する。
【００６３】
このように、第３貨幣処理装置３の記憶部６０に、店舗で利用される磁気データのフォーマットを予めフォーマット情報に登録しておけば、貨幣処理時には、通帳に記録されている磁気データのフォーマットを認識する処理が行われる。ただし、フォーマット情報については、第３貨幣処理装置３の記憶部６０に保存して利用する態様の他、例えば、管理装置４等の他の装置に保存しておいて、処理時に、ネットワーク５を介して取得して利用する態様であっても構わない。
【００６４】
第３貨幣処理装置３では、通帳に記録されている磁気データのフォーマットに基づいて認識した店情報、レジ情報及び通帳情報を、貨幣処理に利用することができる。例えば、レジから全ての貨幣を回収する店舗では、制御部１０が、通帳から読み取った店情報及びレジ情報に基づいて、このレジから回収する貨幣の金種や金額等の回収貨幣情報を、管理装置４から取得する。そして、制御部１０は、取得した回収貨幣情報と、第３貨幣処理装置３に実際に入金された貨幣の識別計数結果とを比較する。レジから回収されたはずの貨幣と、実際に入金された貨幣とが一致しない場合には、制御部１０が、これを報知する報知処理を実行して、この報知を受けたレジ係や店舗の管理者が、レジや回収貨幣の確認作業等を行うことが可能となる。
【００６５】
なお、本実施形態では入金処理を例に説明を行ったが、通帳を利用して行う貨幣処理の種類を限定するものではなく、第３貨幣処理装置３を利用して出金処理、両替処理等の貨幣処理を行う場合にも、上述したように各処理を行うことができる。
【００６６】
また、本実施形態では、通帳に記録されている磁気データを例に説明を行ったが、貨幣処理に関する情報を記録する情報記録媒体を通帳に限定するものではなく、例えば、ＩＣカードや磁気カード等を利用する態様であっても構わない。例えば、図４に示す情報を、カード内に電気的又は磁気的に記録しながら、貨幣処理日時や入金金額をカードの表面に印字する場合にも、上述したように各処理を行うことができる。
【００６７】
また、第３貨幣処理装置３の構成が、図２に示すように、通帳処理部２０、紙幣処理部３０、硬貨処理部４０、操作表示部５０及び記憶部６０を含む態様に限定されるものではなく、これらの一部の構成を別装置として有し、上述した機能及び動作を貨幣処理システムとして実現する態様であっても構わない。また、管理装置４に係る機能及び動作が第３貨幣処理装置３によって実現される態様であっても構わない。
【００６８】
上述してきたように、本実施形態に係る第３貨幣処理装置３では、磁気ストライプに記録されている磁気データのフォーマットが異なる複数種類の通帳に対応することができる。例えば、新規店舗でフォーマットＣの通帳を利用することになった場合に、新規店舗では、フォーマットＣの通帳のみを利用して、第３貨幣処理装置３のみを利用すればよい。一方、従来フォーマットＡの通帳に対応する第１貨幣処理装置１を利用していた既存店舗で、貨幣処理装置を増設する必要が生じた場合には、この既存店舗に、第３貨幣処理装置３を導入して通帳をフォーマットＡで初期化すれば、従来の第１貨幣処理装置１、及び新たに導入した第３貨幣処理装置３の両方の装置で、フォーマットＡの通帳による貨幣処理を行うことができる。
【００６９】
新規店舗で必要とされる磁気データのフォーマットが従来のフォーマットから変更された場合に、変更前フォーマット及び変更後フォーマットの両方に対応可能な第３貨幣処理装置３を準備すれば、新規店舗では変更後フォーマットの通帳を使用して、既存店舗では変更前フォーマットの通帳使用を継続することができる。これにより、新店舗及び既存店舗の両方に、第３貨幣処理装置３を導入することができる。既存店舗に第３貨幣処理装置３を追加で導入する場合も、旧装置と新装置とで利用可能な通帳が異なるといった事態を回避できるので、混乱を生ずることなく、第３貨幣処理装置３の増設、旧貨幣処理装置の第３貨幣処理装置３への置き換え等を容易に進めることができる。
【産業上の利用可能性】
【００７０】
以上のように、本発明に係る貨幣処理装置及び貨幣処理システムは、貨幣処理装置で利用する通帳に記録する情報のフォーマット変更に対応するために有用である。
【符号の説明】
【００７１】
１  第１貨幣処理装置
２  第２貨幣処理装置
３  第３貨幣処理装置
４  管理装置
５  ネットワーク
１０  制御部
２０  通帳処理部
２１  通帳挿入口
２２  通帳搬送部
２３  磁気リーダライタ
２４  通帳プリンタ
３０  紙幣処理部
４０  硬貨処理部
５０  操作表示部
６０  記憶部
７０  通信部
【図１】
0006654447.tif 000002
【図２】
0006654447.tif 000003
【図３】
0006654447.tif 000004
【図４】
0006654447.tif 000005
【図５】
0006654447.tif 000006
【図６】
0006654447.tif 000007